(57)【要約】【課題】不使用時には常に起立している靴べらを提供する。【解決手段】細長板状のへら部（２，２Ａ）と、このへら部の後端に取り付けられ、へら部を直立状態に支持するおもり（４，４Ａ）を備えたスタンド部（３，３Ａ）からなる靴べらである。前記スタンド部（３，３Ａ）の最下部（３１，３１Ａ）が半球状である。好ましくは、前記スタンド部（３，３Ａ）が全体として球体である。また、好ましくは、前記へら部（２，２Ａ）に人の顔を描く。【選択図】図１
0003124303.tif 000002
【実用新案登録請求の範囲】
【請求項１】
細長板状のへら部（２，２Ａ）と、前記へら部の後端に取り付けられ、前記へら部を直立状態に支持するおもり（４，４Ａ）を備えたスタンド部（３，３Ａ）からなるものであって、前記スタンド部（３，３Ａ）には自動的な起き上がりを可能とする手段が設けられていることを特徴とする靴べら（１，１Ａ〜１Ｐ）。
【請求項２】
前記自動的な起き上がりを可能とする手段が、前記スタンド部（３，３Ａ）に設けられた半球状の最下部（３１，３１Ａ）である請求項１記載の靴べら（１，１Ａ〜１Ｐ）。
【請求項３】
前記スタンド部（３，３Ａ）が全体として球体である請求項１又は２記載の靴べら（１，１Ａ）。
【請求項４】
前記へら部（２，２Ａ）に人の顔が描いてある請求項１ないし３の何れかに記載の靴べら（１，１Ａ）。
【請求項５】
前記へら部（２，２Ａ）全体と、前記スタンド部（３，３Ａ）の前記おもり（４，４Ａ）を被覆する表面がプラスチック樹脂により一体成形されている請求項１ないし４の何れかに記載の靴べら（１，１Ａ）。
【考案の詳細な説明】
【技術分野】
【０００１】
本考案は靴べらに関する。特に、不使用時に常に起立している靴べらに関する。
【背景技術】
【０００２】
一般によく知られている靴べらは、ポケットに入れて持ち歩くのに適した短い靴べらと、玄関に備え置く長い靴べらの二種類である。後者は、カウンターボードの上に横にして置いたり、掛釘や紐を使用して柱などにぶら下げたりしている。
【０００３】
靴べらを不使用時に常に起立させることができれば、掛釘や紐などが不要となると共に、寝かせて置くタイプと異なってあまりスペースをとらず、普段邪魔にならない。また、靴べらが起立しているのでへら部をつまみやすく手に取りやすい。
【０００４】
不使用時に常に起立している靴べらとしては、すでに下記特許文献１の考案が知られている。これは、へら部を偏平細長板状に形成し、このへら部の下端部に、へら部を直立状態に支持する底面と重量を備えたスタンド部を一体的に形成したことを特徴とするものである。
【特許文献１】特開平０７−１１１９３６公報
【考案の開示】
【考案が解決しようとする課題】
【０００５】
本考案は、前記特許文献１の靴べらをさらに改良したものであり、次のような点の改良を目指している。
【０００６】
前記特許文献１の靴べらは一度倒れたら人が起こさない限り自動的に立ち上がることはない。本考案では、靴べらに自動起き上がり機能を持たせることにより、文字通り、不使用時に常に起立するようにする。
【０００７】
前記特許文献１の靴べらは、握り部が必ずしも手のひらの中に収まるようなものではない。本考案では、靴を履くときに靴べらの握り部が手のひらの中にすっぽりと収まって使いやすいものとする。
【０００８】
前記特許文献１の靴べらは、スタンド部を動物の形状とする（同文献の図２参照）など視覚的な楽しみを工夫しているが、あくまで静的なものに留まる。本考案では、靴べらが起き上がりこぼしのような動きをして、視覚的に動的な動きを楽しむことができるようにする。
【課題を解決するための手段】
【０００９】
上記課題を解決する本考案の靴べらは、細長板状のへら部と、このへら部の後端に取り付けられ、へら部を直立状態に支持するおもりを備えたスタンド部からなるものであって、前記スタンド部には自動的な起き上がりを可能とする手段が設けられていることを特徴とする。
【考案の効果】
【００１０】
本考案によれば、スタンド部は、へら部を直立状態に支持するおもりを備えているので、不使用時には常に起立している。そのため、掛釘や紐などが不要となると共に、従来の寝かせて置くタイプと異なってあまりスペースをとらず、普段邪魔にならない。また、靴べらが起立しているのでへら部をつまみやすく手に取りやすい。
【００１１】
さらに、前記スタンド部は自動的な起き上がりが可能であるので、一種の起き上がりこぼしであり、前後左右にゆらゆらと揺れながら必ず立ち上がることができる。揺れながら立ち上がる靴べらは、意外性があり、視覚的に楽しむことができる。
【考案を実施するための最良の形態】
【００１２】
へら部は、従来の靴べらとほぼ同じである。細長板状であって、靴の後端に差し込むのに適した、緩やかな湾曲形状を有する。ポケットに入れて持ち歩くのに適した短い靴べら形式でもよいし、玄関に備え置く長い靴べら形式でもよい。ただし、本考案の靴べらはスタンド部を有し、それがある程度の重量を有するので、必ずしも携帯には適していない。
【００１３】
視覚的なおもしろさを演出するため、へら部に人や動物の顔を描いたり、打ち抜いたりすることができる。
【００１４】
スタンド部は、へら部を直立状態に支持するおもりを備えていることが必須である。短いへら部に比べて、長いへら部はより重い重量が必要となる。起き上がり機能を持たせるためには、おもりは、スタンド部の下半分に入れるのが好ましい。
【００１５】
スタンド部のおもりは鉄などの比重の重い金属であることが普通である。このおもりは手に触れると冷たい感触を与えるので、それを避けるためにプラスチックで表面を被覆することが好ましい。この表面被覆プラスチックとへら部はプラスチックで一体に成形するのが、成形上便利であり、仕上がりが美しくなる。外観を気にしないときには、へら部とスタンド部を別成形して後で組み合わせることもできる。
【００１６】
前記スタンド部には自動的な起き上がりを可能とする手段が設けられている。そのような手段としては、例えば、スタンド部の最下部を半球状とすることができる。最も好ましいのは、スタンド部全体を球体とすることである。スタンド部は、使用時には握り部ともなるところであるので、手のひら全体に球体が当たり、靴べらにブレがなくなり使いやすくなるからである。
【実施例１】
【００１７】
以下、添付の図面に基づき本考案の実施例を説明する。
【００１８】
図１は、本考案の靴べらの第１実施例であり、（ａ）は正面図、（ｂ）は（ａ）のｂ−ｂ断面図、（ｃ）は側面図である。
【００１９】
この図に示すように、この実施例の靴べら１は、細長板状のへら部２と、このへら部２の後端に取り付けられたスタンド部３からなる。へら部２は、靴の後端に差し込むためのものである。スタンド部３は、へら部２を常に起立させるためのものである。
【００２０】
へら部２は、（ｃ）に示すように、靴の後端部に差し入れやすいようになだらかに湾曲している。このへら部２には、人の顔をまねて、口５と目６が貫通孔として形成されている。
【００２１】
スタンド部３は球体であり、下半分３１に鉄のおもり４が設定されている。おもり４はプラスチックで被覆され、その被覆プラスチックがへら部２と一体になっている。
【００２２】
この靴べら１は、一種の起き上がりこぼしであり、前後左右にゆらゆら揺れながら必ず立ち上がる。へら部２には人の顔が描かれているので、おもしろさを演出することができる。
【実施例２】
【００２３】
図２は、本考案の靴べらの第２実施例であり、（ａ）は正面図、（ｂ）は（ａ）のｂ−ｂ断面図、（ｃ）は側面図である。
【００２４】
第２実施例が第１実施例と異なるのは、球体のスタンド部３Ａにあるおもり４Ａ上方が空間７となっていることである。その他の部品は、第１実施例の符号に「Ａ」を付けて、その説明を省略する。なお、成形上、空間のまま残すことが難しいときには、この空間７を比重の軽い樹脂で埋めることもできる。
【００２５】
この靴べら１Ａは、一種の起き上がりこぼしであり、前後左右にゆらゆら揺れながら必ず立ち上がる。
【実施例３】
【００２６】
図３は、本考案の靴べらの第３−１７実施例であり、すべて正面図である。
【００２７】
第３実施例の靴べら１Ｂは顔の図形がないことだけが第１実施例と異なる。
【実施例４】
【００２８】
第４実施例の靴べら１Ｃはへら部に多数の小孔８が設けられていることだけが第３実施例と異なる。へら部が軽量化するという効果がある。
【実施例５】
【００２９】
第５実施例の靴べら１Ｄはへら部に大きな孔９が設けられていることだけが第３実施例と異なる。へら部が軽量化するという効果がある。
【実施例６】
【００３０】
第６実施例の靴べら１Ｅはスタンド部の上部に孔１０が設けられていることだけが第１実施例と異なる。
【実施例７】
【００３１】
第７実施例の靴べら１Ｆはへら部の上部に孔１１が設けられていることだけが第３実施例と異なる。
【実施例８】
【００３２】
第８実施例の靴べら１Ｇはへら部２Ｇが短いことだけが第１実施例と異なる。
【実施例９】
【００３３】
第９実施例の靴べら１Ｈはへら部２Ｈが長いことだけが第１実施例と異なる。
【実施例１０】
【００３４】
第１０実施例の靴べら１Ｉはスタンド部３Ｉが大きいことだけが第１実施例と異なる。
【実施例１１】
【００３５】
第１１実施例の靴べら１Ｊはスタンド部３Ｊが小さいことだけが第１実施例と異なる。
【実施例１２】
【００３６】
第１２実施例の靴べら１Ｋはへら部に装飾としての手１３を設けたことだけが第１実施例と異なる。へら部がより人間の姿に近づくことになる。
【実施例１３】
【００３７】
第１３実施例の靴べら１Ｌはスタンド部３Ｌが球体ではなく半球であることだけが第１実施例と異なる。
【実施例１４】
【００３８】
第１４実施例の靴べら１Ｍはスタンド部３Ｍが球体ではなくタマネギ状であることだけが第１実施例と異なる。
【実施例１５】
【００３９】
第１５実施例の靴べら１Ｎはスタンド部３Ｎが球体ではなく下半分が半球、上半分が円錐形であることだけが第１実施例と異なる。
【実施例１６】
【００４０】
第１６実施例の靴べら１Ｏは、スタンド部３Ｏが第１５実施例よりも横方向に伸びていることだけが第１実施例と異なる。
【実施例１７】
【００４１】
第１７実施例の靴べら１Ｐはスタンド部３Ｐにフランジ１４を設けたことだけが第１実施例と異なる。
【図面の簡単な説明】
【００４２】
【図１】本考案の靴べらの第１実施例であり、（ａ）は正面図、（ｂ）は（ａ）のｂ−ｂ断面図、（ｃ）は側面図である。
【図２】本考案の靴べらの第２実施例であり、（ａ）は正面図、（ｂ）は（ａ）のｂ−ｂ断面図、（ｃ）は側面図である。
【図３】本考案の靴べらの第３−１７実施例であり、すべて正面図である。
【符号の説明】
【００４３】
１，１Ａ〜１Ｐ         靴べら
２     へら部
３     スタンド部
３１   スタンド部最下部（下半分）
４     おもり
５     口
６     目
７     空間
【図１】
0003124303.tif 000003
【図２】
0003124303.tif 000004
【図３】
0003124303.tif 000005